(57)【特許請求の範囲】
【請求項１】
ピンコンタクト挿入穴を有する第１ハウジングと、前記第１ハウジングに対して平行に相対的に円弧運動を行うことができ、かつ、ピンコンタクト挿入穴を有する第２ハウジングと、前記両ピンコンタクト挿入穴にそれぞれ挿入された両ピンコンタクトの間を電気的に接断するソケットコンタクトから構成され、前記第１ハウジングと前記第２ハウジングを少なくとも２箇所でクランク状ピンにより連結し、前記第１ハウジングのピンコンタクト挿入穴に隣接して蝶状穴を開け、前記蝶状穴はその中心に対して点対称に一対の突出部を有し、前記ソケットコンタクトは一対の板ばねであって、前記一対の板ばねは第１接触部と第２接触部と前記両接触部の間の中央部とのそれぞれが対向するように形成され、前記蝶状穴にはまる前記一対の板ばねの第１接触部は前記両ピンコンタクトの一方に接続し、前記第２ハウジングのピンコンタクト挿入穴にはまる前記一対の板ばねの第２接触部は前記両ピンコンタクトの他方に接続し、前記第１接触部の中心線と前記第２接触部の中心線とはずれており、前記第１接触部における前記一対の板ばねの一方と他方とは前記第１接触部の中心線に直交する幅方向にずれており、かつ、前記両中心線の間の距離は前記一対の突出部の間の距離よりも大きく構成され、前記一対の板ばねの第１接触部は前記円弧運動により前記一対の突出部に接離することができることを特徴とする回転テコ式ＺＩＦコネクタ。
【請求項２】
ピンコンタクト挿入穴を有する第１ハウジングと、前記第１ハウジングに対して平行に相対的に円弧運動を行うことができ、かつ、ピンコンタクト挿入穴を有する第２ハウジングと、前記両ピンコンタクト挿入穴にそれぞれ挿入された両ピンコンタクトの間を電気的に接断するソケットコンタクトから構成され、前記第１ハウジングと前記第２ハウジングを少なくとも２箇所でクランク状ピンにより連結し、前記両ハウジングのピンコンタクト挿入穴にそれぞれ隣接して蝶状穴を開け、前記両蝶状穴はその中心に対して点対称に一対の突出部を有し、前記ソケットコンタクトは一対の板ばねであって、前記一対の板ばねは第１接触部と第２接触部と前記両接触部の間の中央部とのそれぞれが対向するように形成され、前記両蝶状穴の一方にはまる前記一対の板ばねの第１接触部は前記両ピンコンタクトの一方に接続し、前記両蝶状穴の他方にはまる前記一対の板ばねの第２接触部は前記両ピンコンタクトの他方に接続し、前記第１接触部の中心線と前記第２接触部の中心線とはずれており、前記各接触部における前記一対の板ばねの一方と他方とは前記各接触部の中心線に直交する幅方向にずれており、かつ、前記両中心線の間の距離は前記各一対の突出部の間の距離よりも大きく構成され、前記一対の板ばねの各接触部は前記円弧運動により前記各一対の突出部に接離することができることを特徴とする回転テコ式ＺＩＦコネクタ。
【請求項３】
前記クランク状ピンをレバーにより回転することを特徴とする請求項１又は２記載の回転テコ式ＺＩＦコネクタ。
【発明の詳細な説明】
【０００１】
【発明の属する技術分野】
本発明は、てこの作用によりピンコンタクトとソケットコンタクトを接触離隔させるＺＩＦ（ＺＥＲＯ  ＩＮＳＥＲＴＩＯＮ  ＦＯＲＣＥ）コネクタに関するものである。
【０００２】
【従来の技術】
従来のＺＩＦコネクタには、多数の種類があるが、代表例として以下にプレッシャー接触型ＺＩＦコネクタと摺動接触型ＺＩＦコネクタを説明する。
【０００３】
まず、図６にプレッシャー接触型ＺＩＦコネクタを示す。アッパーハウジング２１には、多数本のピンコンタクト２２が固定され、ロアハウジング２３には、複数本の曲げ変形コンタクト２４が固定されている。アッパーハウジング２１に隣接して、カム２５が中心２６の周りに回転することができるように設けられている。
【０００４】
図６（ａ）は、コンタクトの開状態を示すが、カム２５を図６（ｂ）に示される矢印方向に９０度回転すると、カム２５は、アッパーハウジング２１を矢印方向に押す。すると、ピンコンタクト２２は、曲げ変形コンタクト２４を押圧して弾性変形させ、図６（ｂ）の閉状態に到る。
【０００５】
次に、図７に摺動接触型ＺＩＦコネクタを示す。アッパーハウジング３１には、多数本のピンコンタクト３２が固定され、また、凹部３３が設けられ、ロアハウジング３４には、複数本のソケットコンタクト３５が固定されている。アッパーハウジング３１の凹部３３には、レバー３６の先端部３７が係合し、レバー３６は、中心３８の周りに回転することができる。
【０００６】
図７（ａ）は、コンタクトの開状態を示すが、レバー３６を図７（ｂ）に示される矢印方向に回転すると、レバー３６は、アッパーハウジング３１を矢印方向に押す。すると、ピンコンタクト３２は、ソケットコンタクト３５の先端付近の二叉状部の間に嵌入し、二叉状部を紙面に対して直角方向に弾性変形させて押し広げ、図７（ｂ）の閉状態に到る。
【０００７】
図６に示されるプレッシャー接触型ＺＩＦコネクタでは、コネクタの駆動力Ｗは、ピンコンタクト２２と曲げ変形コンタクト２４の接触力をＰとすると、コンタクト１本当り、Ｗ＝Ｐとなる。
【０００８】
図７に示される摺動接触型ＺＩＦコネクタでは、コネクタの駆動力Ｗは、ピンコンタクト３２とソケットコンタクト３５の接触力をＰ、ピンコンタクト３２とソケットコンタクト３５の摩擦係数をμ、ソケットコンタクト３５を押し広げるために必要な係数をα（１以上、通常は２〜３）、１本のピンコンタクト３２と１本のソケットコンタクト３５の接触点数をｎ（この場合２）とすると、
Ｗ＝Ｐ×μ×α×ｎ
となり、μ＝０．２５、α＝２、ｎ＝２とすると、Ｗ＝Ｐとなる。
【０００９】
したがって、前記従来のＺＩＦコネクタは、コンタクトの芯数が１０００で、Ｐ＝０．１ｋｇとすると、いずれもＷ＝１００ｋｇという巨大な力を駆動に要することになる。
【００１０】
【発明が解決しようとする課題】
前記従来のＺＩＦコネクタは、コンタクトの芯数が多くなる程、強い駆動力を要する。
【００１１】
そこで、本発明は、前記従来のＺＩＦコネクタの欠点を改良し、コンタクトの芯数が多くなっても、弱い力で駆動することができるＺＩＦコネクタを提供しようとするものである。
【００１２】
【課題を解決するための手段】
本発明は、前記課題を解決するため、次の手段を採用する。
【００１３】
１．ピンコンタクト挿入穴を有する第１ハウジングと、前記第１ハウジングに対して平行に相対的に円弧運動を行うことができ、かつ、ピンコンタクト挿入穴を有する第２ハウジングと、前記両ピンコンタクト挿入穴にそれぞれ挿入された両ピンコンタクトの間を電気的に接断するソケットコンタクトから構成され、前記第１ハウジングと前記第２ハウジングを少なくとも２箇所でクランク状ピンにより連結し、前記第１ハウジングのピンコンタクト挿入穴に隣接して蝶状穴を開け、前記蝶状穴はその中心に対して点対称に一対の突出部を有し、前記ソケットコンタクトは一対の板ばねであって、前記一対の板ばねは第１接触部と第２接触部と前記両接触部の間の中央部とのそれぞれが対向するように形成され、前記蝶状穴にはまる前記一対の板ばねの第１接触部は前記両ピンコンタクトの一方に接続し、前記第２ハウジングのピンコンタクト挿入穴にはまる前記一対の板ばねの第２接触部は前記両ピンコンタクトの他方に接続し、前記第１接触部の中心線と前記第２接触部の中心線とはずれており、前記第１接触部における前記一対の板ばねの一方と他方とは前記第１接触部の中心線に直交する幅方向にずれており、かつ、前記両中心線の間の距離は前記一対の突出部の間の距離よりも大きく構成され、前記一対の板ばねの第１接触部は前記円弧運動により前記一対の突出部に接離することができる回転テコ式ＺＩＦコネクタ。
【００１４】
２．ピンコンタクト挿入穴を有する第１ハウジングと、前記第１ハウジングに対して平行に相対的に円弧運動を行うことができ、かつ、ピンコンタクト挿入穴を有する第２ハウジングと、前記両ピンコンタクト挿入穴にそれぞれ挿入された両ピンコンタクトの間を電気的に接断するソケットコンタクトから構成され、前記第１ハウジングと前記第２ハウジングを少なくとも２箇所でクランク状ピンにより連結し、前記両ハウジングのピンコンタクト挿入穴にそれぞれ隣接して蝶状穴を開け、前記両蝶状穴はその中心に対して点対称に一対の突出部を有し、前記ソケットコンタクトは一対の板ばねであって、前記一対の板ばねは第１接触部と第２接触部と前記両接触部の間の中央部とのそれぞれが対向するように形成され、前記両蝶状穴の一方にはまる前記一対の板ばねの第１接触部は前記両ピンコンタクトの一方に接続し、前記両蝶状穴の他方にはまる前記一対の板ばねの第２接触部は前記両ピンコンタクトの他方に接続し、前記第１接触部の中心線と前記第２接触部の中心線とはずれており、前記各接触部における前記一対の板ばねの一方と他方とは前記各接触部の中心線に直交する幅方向にずれており、かつ、前記両中心線の間の距離は前記各一対の突出部の間の距離よりも大きく構成され、前記一対の板ばねの各接触部は前記円弧運動により前記各一対の突出部に接離することができる回転テコ式ＺＩＦコネクタ。
【００１５】
３．前記クランク状ピンをレバーにより回転する前記１又は２記載の回転テコ式ＺＩＦコネクタ。
【００１７】
【発明の実施の形態】
本発明の一実施の形態例について図１〜図５を参照して説明する。
【００１８】
図１は、本発明の一実施の形態例の全体の斜視図である。第１ハウジング１と第２ハウジング５は、長方形状で、重畳している。第１ハウジング１と第２ハウジング５には、それぞれ縦横方向にピンコンタクト挿入穴２，６が開けられ、また、それぞれの四隅を軸ずれＲの４本のクランク状ピン７により連結されている。したがって、第１ハウジング１と第２ハウジング５は、半径Ｒで相対的に平行に回転運動を行うことができる。駆動方法としては、１本のクランク状ピン７の一端に角柱部８を設け、この角柱部８に駆動レバー９の角穴１０をはめ、駆動レバー９を回転することにより行う。
【００１９】
図２は、本発明の一実施の形態例におけるソケットコンタクト１５等の主要部の断面図であり、（ａ）は正面図、（ｂ）は側面図である。ただし、（ａ）は構造を容易に理解するために便宜的に描いた図であり、断面の向側を破線で示している。
【００２０】
ＬＳＩ１１のピンコンタクト１２は、第１ハウジング１のピンコンタクト挿入穴２に挿入され、プリント基板１３のピンコンタクト１４は、第２ハウジング５のピンコンタクト挿入穴６に挿入されている。ソケットコンタクト１５は、ピンコンタクト１２，１４の間を電気的に接断する。
【００２１】
図３は、本発明の一実施の形態例におけるソケットコンタクト１５及び第１ハウジング１等の分解斜視図であり、第１ハウジング１を矢印方向に９０度回転させて、その蝶状穴３をソケットコンタクト１５の上部接触部１７ａ，１７ｂにかぶせる。
【００２２】
ソケットコンタクト１５は、中央部１６ａ，１６ｂと上部接触部１７ａ，１７ｂと下部接触部１８ａ，１８ｂと連結部１９から一体に形成された一対の板ばねである。ただし、下部接触部１８ａ，１８ｂは、完全な対称形状であるが、上部接触部１７ａ，１７ｂは、図２（ａ）の実線及び破線と図３（図４と図５も参照）に示されるように、中心線Ａから相互にずれた形状に構成されている。
【００２３】
図４は、コネクタの開状態を示し、駆動レバー９をまだ回転していない。この状態では、ソケットコンタクト１５の上部接触部１７ａと１７ｂは、相互に接近しようとする弾力性を有するが、第１ハウジング１の蝶状穴３の内面に蝶状穴３の中心に対して点対称に設けられた一対の突出部４，４に当接し、突出部４，４から力Ｐを矢印方向に受けているため、ピンコンタクト１２に接触することができない。上部接触部１７ａ，１７ｂに対応する下部接触部１８ａ，１８ｂを２点鎖線で示す。
【００２４】
突出部４，４から受ける力Ｐによりソケットコンタクト１５の上部接触部１７ａ，１７ｂに加わるモーメントＭは、突出部４，４の間の距離を２ｒとすれば、Ｍ＝２ｒＰである。また、ソケットコンタクト１５の下部接触部１８ａ，１８ｂを支える力をＷ、上部接触部１７ａ，１７ｂの中心線Ａと下部接触部１８ａ，１８ｂの中心線Ｏの軸ずれをＲとすれば、ソケットコンタクト１５の回転を静止するためには、ＷＲ＝２ｒＰが成立しなければならない。
【００２５】
したがって、Ｗ＝（２ｒ／Ｒ）Ｐであり、このＷは、１本のソケットコンタクト１５を開く駆動力で、ｒを小さく、かつ、Ｒを大きくすることにより、コネクタを開くのに要する駆動力を弱くすることができる。このことは、図１についていえば、駆動レバー９の回転に要する力を弱くすることができることを意味する。
【００２６】
図５は、アッパーハウジング１とピンコンタクト１２がＡO の位置からＡの位置まで半径Ｒの円弧運動を終了した状態を示す。上部接触部１７ａ，１７ｂは、蝶状穴３の突出部４，４から離隔し、弾力性により相互に接近し、ピンコンタクト１２に接触している。
【００２７】
図４の状態から図５の状態に第１ハウジング１とピンコンタクト１２を移動するのに要する力は、最初Ｗであるが、その後はソケットコンタクト１５とピンコンタクト１２，１４の間の摩擦力だけが抵抗力であるため、Ｗより相当弱い。
【００２８】
いうまでもなく、図４の状態においては、ＬＳＩ１１のピンコンタクト１２を第１ハウジング１のピンコンタクト挿入穴２に対して、抵抗なく挿入抜去することができる。図５の状態では、ソケットコンタクト１５を回転させる力は、発生していないので、駆動レバー９を拘束しておく必要がなく、また、駆動レバー９をクランク状ピン７から外しておいても差支えがない。
【００２９】
なお、本実施の形態例では、ソケットコンタクト１５の上部と第１ハウジング１のみに図４に示す構造を採用したが、ソケットコンタクト１５の下部と第２ハウジング５にも同様の構造を採用することができる。ただし、この場合、ソケットコンタクト１５の上下両部に蝶状穴３の突出部４，４から受ける力Ｐによる回転モーメントが発生するため、コネクタの駆動力は、本実施の形態例のほぼ２倍になる。
【００３０】
【発明の効果】
以上の説明から明らかなように、本発明によれば、従来のＺＩＦコネクタと対比して、コンタクトの芯数が多くなっても、弱い力でＺＩＦコネクタを駆動することができる。
【図面の簡単な説明】
【図１】本発明の一実施の形態例の全体の斜視図である。
【図２】本発明の一実施の形態例における要部の断面図であり、（ａ）は正面側から見た便宜的断面図、（ｂ）は側面側から見た断面図である。
【図３】本発明の一実施の形態例における要部の分解斜視図である。
【図４】本発明の一実施の形態例におけるソケットコンタクトの上下両部接触部等の便宜的断面図であり、コネクタの開状態を示す。
【図５】本発明の一実施の形態例におけるソケットコンタクトの上下両部接触部等の便宜的断面図であり、コネクタの閉状態を示す。
【図６】従来のプレッシャー接触型ＺＩＦコネクタの正面図である。
【図７】従来の摺動接触型ＺＩＦコネクタの正面図である。
【符号の説明】
１    第１ハウジング
２    ピンコンタクト挿入穴
３    蝶状穴
４    突出部
５    第２ハウジング
６    ピンコンタクト挿入穴
７    クランク状ピン
８    角柱部
９    駆動レバー
１０    角穴
１１    ＬＳＩ
１２    ピンコンタクト
１３    プリント基板
１４    ピンコンタクト
１５    ソケットコンタクト
１６ａ，１６ｂ    中央部
１７ａ，１７ｂ    上部接触部
１８ａ，１８ｂ    下部接触部
１９    連結部
【図１】
0003718785.tif 000002
【図２】
0003718785.tif 000003
【図３】
0003718785.tif 000004
【図４】
0003718785.tif 000005
【図５】
0003718785.tif 000006
【図６】
0003718785.tif 000007
【図７】
0003718785.tif 000008